(57)【要約】【課題】大型洗濯物の出し入れが困難になるのを防ぐことができ、かつ、設置場所に制限が掛かるのを防ぐことができるドラム式洗濯機を提供する。【解決手段】外箱１の前面部には外箱開口部２１が設けられている。外箱開口部２１は非屈曲性の外ドア７で開閉する。外ドア７は、外箱１に少なくとも一部が収容可能で、かつ、外箱１に対して上下方向にスライドする。外箱開口部２１の下縁部は、外ドア７の上下方向のスライドに連動して、外箱１の前面部に対して上下方向にスライドするスライド部材２３である。これにより、外箱１に対して外ドア７を下方向にスライドさせて、外箱開口部２１を開くと、外ドア７の下方向のスライドに伴って、スライド部材２３も下方向にスライドする結果、外箱開口部２１が大きく開く。【選択図】図１
2009118948.tif 000002
【特許請求の範囲】
【請求項１】
前面に外箱開口部を有する外箱と、
この外箱内に配置され、上記外箱開口部に対向する水槽開口部を有する水槽と、
開方向を下方向、閉方向を上方向として、上記外箱に対してスライドして上記外箱開口部を開閉する非屈曲性のスライドドアと
を備え、
上記外箱開口部の上記スライドドアの開方向の縁部は、上記スライドドアの開方向へのスライドに応じて、上記外箱に対して上記スライドドアの開方向にスライドするスライド部材であることを特徴とするドラム式洗濯機。
【請求項２】
請求項１に記載のドラム式洗濯機において、
上記スライドドアには、上記スライド部材の開方向へのスライド時に上記スライド部材に係合して、上記スライド部材を上記スライドドアの閉方向へスライドさせる閉突出部が設けられていることを特徴とするドラム式洗濯機。
【請求項３】
請求項１または２に記載のドラム式洗濯機において、
上記スライド部材を上記スライドドアの閉方向に弾性保持する弾性保持手段を備えたことを特徴とするドラム式洗濯機。
【請求項４】
請求項１から３までのいずれか一項に記載のドラム式洗濯機において、
上記スライドドアには、上記スライドドアの閉方向へのスライド時に上記スライド部材に係合して、上記スライド部材を上記スライドドアの開方向へスライドさせる開突出部が設けられていることを特徴とするドラム式洗濯機。
【発明の詳細な説明】
【技術分野】
【０００１】
本発明はドラム式洗濯機に関する。
【背景技術】
【０００２】
従来、ドラム式洗濯機としては、特開２００５−５８７２５号公報（特許文献１）に記載されたものがある。このドラム式洗濯機は、図６に示すように、外箱６０１に対して上下方向にスライドする１枚の非屈曲性の外ドア６０７を備えている。この外ドア６０７により、外箱６０１の前面部に設けられた外箱開口部６２１を開閉することができる。
【０００３】
また、上記外箱６０１内には水槽６０２が配置されている。この水槽６０２は、外箱開口部６２１に対向する水槽開口部６０８を前面部に有している。そして、上記水槽開口部６０８は、水槽６０２の前面部にヒンジで回動自在に取り付けた内ドア６０９で開閉することができる。
【０００４】
ところで、上記従来のドラム式洗濯機で布団または毛布などの大型洗濯物を洗う場合、外箱開口部６２１が小さいと、外箱開口部６２１を通した大型洗濯物の出し入れができなくなる、または、大型洗濯物の出し入れが困難になる。
【０００５】
したがって、その場合、外箱開口部６２１と、この外箱開口部６２１を開閉する外ドア６０７とを大きくしなければならない。
【０００６】
しかしながら、上記外箱開口部６２１および外ドア６０７を大きくした場合、外ドア６０７を下方向にスライドさせて開けると、図７に示すように、外ドア６０７の大部分が外箱開口部６２１の大部分と重なることになる。
【０００７】
その結果、上記内ドア６０９が外ドア６０７に衝突し、内ドア６０９を前方に開けることができなくなる。これを防ぐ方法としては、外箱６０１の高さ（製品高さ）を高くする方法が考えられる。
【０００８】
しかしながら、上記方法では、ドラム式洗濯機に接続する水道の蛇口が外箱６０１に接触して、ドラム式洗濯機が設置できなくなることがある。
【０００９】
すなわち、その場合、ドラム式洗濯機の設置場所に制限が掛かるという大きなデメリットが生じてしまう。
【特許文献１】特開２００５−５８７２５号公報
【発明の開示】
【発明が解決しようとする課題】
【００１０】
そこで、本発明の課題は、大型洗濯物の出し入れが困難になるのを防ぐことができ、かつ、設置場所に制限が掛かるのを防ぐことができるドラム式洗濯機を提供することにある。
【課題を解決するための手段】
【００１１】
上記課題を解決するため、本発明のドラム式洗濯機は、
前面に外箱開口部を有する外箱と、
この外箱内に配置され、上記外箱開口部に対向する水槽開口部を有する水槽と、
開方向を下方向、閉方向を上方向として、上記外箱に対してスライドして上記外箱開口部を開閉する非屈曲性のスライドドアと
を備え、
上記外箱開口部の上記スライドドアの開方向の縁部は、上記スライドドアの開方向へのスライドに応じて、上記外箱に対して上記スライドドアの開方向にスライドするスライド部材であることを特徴としている。
【００１２】
上記構成のドラム式洗濯機によれば、上記外箱開口部を通して洗濯物を出し入れする場合、外箱に対してスライドドアを開方向にスライドさせて、外箱開口部を開く。そうすると、上記スライドドアの開方向のスライドに応じて、スライド部材も上記スライドドアの開方向にスライドする。
【００１３】
その結果、上記外箱開口部の大きさが小さくても、スライドドアを開いたときの外箱開口部とスライド部材のスライド面積を加えた洗濯物投入口が大きく開くので、ユーザは洗濯物投入口を通して大型洗濯物の出し入れを容易に行える。
【００１４】
また、上記外箱開口部の閉鎖時の大きさを小さくても、洗濯物投入口が大きく開くので、外箱開口部およびスライドドアの大きさを小さくすることができる。
【００１５】
したがって、上記製品高さを低くして、ドラム式洗濯機の設置場所に制限がかかるのを防ぐことができる。
【００１６】
一実施形態のドラム式洗濯機では、
上記スライドドアには、上記スライド部材の開方向へのスライド時に上記スライド部材に係合して、上記スライド部材を上記スライドドアの閉方向へスライドさせる閉突出部が設けられている。
【００１７】
上記実施形態のドラム式洗濯機によれば、上記外箱に対してスライドドアを閉方向にスライドさせると、スライドドアの閉突出部がスライド部材に係合する。
【００１８】
したがって、上記スライドドアの閉方向のスライドに応じて、スライド部材を上記スライドドアの閉方向にスライドさせることができる。
【００１９】
一実施形態のドラム式洗濯機は、
上記スライド部材を上記スライドドアの閉方向に弾性保持する弾性保持手段を備えている。
【００２０】
上記実施形態のドラム式洗濯機によれば、上記弾性保持手段がスライド部材を上記スライドドアの閉方向に弾性保持するので、スライド部材に他の部材が衝突しても、この衝突による衝撃は弾性部材に吸収されて、スライド部材の損傷を防ぐことができる。
【００２１】
一実施形態のドラム式洗濯機では、
上記スライドドアには、上記スライドドアの閉方向へのスライド時に上記スライド部材に係合して、上記スライド部材を上記スライドドアの開方向へスライドさせる開突出部が設けられている。
【００２２】
上記実施形態のドラム式洗濯機によれば、上記外箱に対してスライドドアを開方向にスライドさせると、スライドドアの開突出部がスライド部材に係合する。
【００２３】
したがって、上記スライドドアの開方向のスライドに伴って、スライド部材を下方向にスライドさせることができる。
【発明の効果】
【００２４】
本発明のドラム式洗濯機によれば、外箱開口部を開けるため、スライドドアを下方向にスライドさせると、そのスライドに応じて、外箱開口部の上記スライドドアの開方向の縁部であるスライド部材が下方向にスライドするので、洗濯物投入口を広くでき、大型洗濯物の出し入れに必要な洗濯物投入口の大きさを容易に確保できる。
【００２５】
したがって、ユーザは洗濯物投入口を通して大型洗濯物の出し入れを容易に行うことができる。
【００２６】
また、上記外箱開口部の閉鎖時の大きさを小さくても、洗濯物投入口が大きく開くので、外箱開口部およびスライドドアの大きさを小さくすることができる。
【００２７】
したがって、上記製品高さを低くして、ドラム式洗濯機の設置場所に制限がかかるのを防ぐことができる。
【発明を実施するための最良の形態】
【００２８】
以下、本発明のドラム式洗濯機を図示の実施の形態により詳細に説明する。
【００２９】
図１は、本発明の一実施の形態のドラム式洗濯機を側方から見た概略断面図である。なお、上記断面図は外ドア７を閉めた状態を示す図である。
【００３０】
上記ドラム式洗濯機は、外箱１と、この外箱１内に配置された水槽２と、この水槽２内に回転自在に配置された回転ドラム３と、この回転ドラム３を回転させる駆動機構４と、水槽２の後部を弾性支持するサスペンション５とを備えている。なお、上記水槽２の前部を他のサスペンションで弾性支持しているが、この他のサスペンションの図示は図１および図５において省略している。
【００３１】
上記外箱１の前面部は前パネル１１から成っている。この前パネル１１には、１枚の非屈曲性の外ドア７によって開閉される略円形状の外箱開口部２１が設けられている。なお、上記外ドア７はスライドドアの一例である。
【００３２】
上記外ドア７は、開方向を下方向、閉方向を上方向として、外箱１に対してスライドして外箱開口部２１を開閉する。また、上記外ドア７の略全部は、前パネル１１とドアパネル１２との間の空間に収納可能となっている（図５参照）。そして、上記外箱開口部２１の下縁部は、前パネル１１に上下方向にスライド可能に取り付けられたスライド部材２３から成っている。このスライド部材２３は、外ドア７のスライドに応じてスライドする。より詳しくは、上記スライド部材２３は、外ドア７の開方向のスライドに伴って外ドア７の開方向にスライドし、外ドア７の閉方向のスライドに伴って外ドア７の閉方向にスライドする。なお、上記外ドア７は外部より洗濯物の動きが見えるよう透明部材で形成されている。
【００３３】
上記ドアパネル１２は、外箱開口部２１に対向するパネル開口部６有している。上記パネル開口部６は、外ドア７の閉鎖時、外ドア７およびスライド部材２３と重なる。
【００３４】
上記水槽２は有低筒状形状で、その水槽開口部８が少し斜め上方を向くように若干傾斜して横向き配置されている。上記水槽開口部８とパネル開口部６とは互いに離隔して対向している。また、上記水槽２の前面部には、略楕円形状のヒンジ式の内ドア９が回動自在に取り付けられている。また、上記水槽２の水槽開口部８の径方向外側には板形状の弾性部材１０が配置されている。この弾性部材１０が水槽開口部８とパネル開口部６との間に位置しているので、使用者が水槽開口部８とパネル開口部６との間を通して外箱内を見られないようになっている。
【００３５】
上記回転ドラム３は、回転ドラム３の回転軸が水平方向に対して角度５°〜３０°だけ後側（回転ドラム３の奥側）が下がるように傾斜して配置されている。これにより、使用者がドラム式洗濯機の前面側に立ってドラム式洗濯機を操作する際に、見下ろすようにして容易に回転ドラム３の奥まで見通せる。
【００３６】
なお、図１の１９は、上記ドラム式洗濯機の動作を制御する制御装置である。
【００３７】
図２は、上記ドラム式洗濯機を正面から見た概略図である。なお、図２では、上記前パネル１１の一部を破いて図示している。
【００３８】
上記前パネル１１にはスライドガイド２４が設けられている。このスライドガイド２４内にはスライダー部２３ａが入っている。このスライダー部２３ａはスライド部材２３の図中左右方向の端部である。
【００３９】
図３は、図２の一部を拡大した図である。
【００４０】
上記スライド部材２３はコイルスプリング２５で弾性保持されている。このコイルスプリング２５は、スライダー部２３ａを押し上げるようにスライドガイド２４に装着されている。
【００４１】
図４は、図１の一部を拡大した図である。
【００４２】
上記外ドア７の下縁部にはリブ７ａが設けられている。このリブ７ａには、外ドア７の上方向のスライドに伴い、スライド部材２３を引っ掛ける。なお、上記リブ７ａが閉突出部の一例である。
【００４３】
図５は、本発明の一実施の形態のドラム式洗濯機を側方から見た概略断面図である。なお、上記断面図は外ドア７を開いた状態を示す図である。
【００４４】
上記外ドア７の上縁部には、前方に突出する取っ手部７ｂが設けられている。この取っ手部７ｂは、外ドア７の下方向のスライドに伴い、スライド部材２３を外ドア７の開方向に向かって押し下げる。なお、上記取っ手部７ｂは開突出部の一例である。
【００４５】
上記構成のドラム式洗濯機によれば、上記外箱開口部２１を通して洗濯物を出し入れする場合、図１に示す状態から、外箱１に対して外ドア７を開方向にスライドさせると、図４に示すリブ７ａはスライド部材２３から離間する。そして、上記外ドア７を開方向にさらにスライドさせると、図５に示す取っ手部７ｂがスライド部材２３に衝突し、コイルスプリング２５（図３参照）のバネ力に逆らってスライド部材２３を押し下げる。
【００４６】
その結果、上記外箱開口部２１が大きく開くので、ユーザは、内ドア９を前方に開き、外箱開口部２１を通して大型洗濯物の出し入れを容易に行える。
【００４７】
一方、図５に示す状態から、外箱１に対して外ドア７を閉方向にスライドさせると、図４に示すリブ７ａがスライド部材２３に引っ掛かり、スライド部材２３が引き上げられ、図１に示す状態となる。
【００４８】
その結果、上記外箱開口部２１が小さくなるので、外ドア７を大きくしなくてもよくなる。
【００４９】
したがって、上記外ドア７を収納するスペースの高さを抑えることが可能になり、
製品高さを低くして、ドラム式洗濯機の設置場所に制限がかかるのを防ぐことができる。
【００５０】
また、上記外ドア７の下縁部にリブ７ａを設けているので、外ドア７の閉方向のスライドに伴って、スライド部材２３を外ドア７の閉方向に確実に引き上げることができる。
【００５１】
また、上記コイルスプリング２５がスライド部材２３を弾性保持するので、取っ手部７ｂがスライド部材２３に衝突しても、この衝突による衝撃はコイルスプリング２５に吸収されて、スライド部材２３の損傷を防ぐことができる。
【００５２】
また、上記外ドア７の上縁部に取っ手部７ｂを設けているので、外ドア７の開方向のスライドに伴い、外ドア７の上縁部の取っ手部７ｂがスライド部材２３に当接し、スライド部材２３を確実に外ドア７の開方向に押し下げることができる。
【図面の簡単な説明】
【００５３】
【図１】図１は本発明の一実施の形態のドラム式洗濯機の概略断面図である。
【図２】図２は上記ドラム式洗濯機の概略正面図である。
【図３】図３は図２の一部の拡大図である。
【図４】図４は図１の一部の拡大図である。
【図５】図５は上記ドラム式洗濯機の他の状態の概略断面図である。
【図６】図６は従来のドラム式洗濯機の概略断面図である。
【図７】図７は従来のドラム式洗濯機の問題を説明するための模式図である。
【符号の説明】
【００５４】
１  外箱
２  水槽
３  回転ドラム
７  外ドア
７ａ  リブ
７ｂ  取っ手部
８  水槽開口部
９  内ドア
２１  外箱開口部
２３  スライド部材
２５  コイルスプリング
【図１】
2009118948.tif 000003
【図２】
2009118948.tif 000004
【図３】
2009118948.tif 000005
【図４】
2009118948.tif 000006
【図５】
2009118948.tif 000007
【図６】
2009118948.tif 000008
【図７】
2009118948.tif 000009